(57)【要約】【課題】  プラスチックケースなどに挿入される、ジャケット、タイトルデザイン紙、宣伝台紙およびクリスマスカードなどギフトカードのデザイン台紙上に造形物を設け、その造形物をデザイン台紙裏面に設けらた、運動伝達機構により、手動、自動で動かすことのできる、平面アニメーション装置を提供する。【解決手段】  プラスチックケースなどに挿入される、ジャケット、タイトルデザイン紙、宣伝台紙およびクリスマスカードなどギフトカードは薄く作る必要があり、例えばＣＤ、ＤＶＤケースのジャケット収納スペースである厚み約３ｍｍの空間に複数の薄型平歯車で構成されるギア取付台の上に背景であるジャケットを乗せ、その上の造形部を平歯車につけられたピンなどによるリンク機構および平歯車にはめ込まれた磁石とジャケットを間に介しジャケット上の設けられた造形物の可動作用点に埋め込んだ磁石で誘導磁力による吸磁、反発によりジャケット上の造形物を動かし、手動、自動の動力を持つことを特徴とする、平面アニメーション装置。【選択図】  図１
2005208533.tif 000002
【特許請求の範囲】
【請求項１】
プラスチックケースなどに挿入される、ジャケット、タイトルデザイン紙、宣伝台紙あるいはクリスマスカードなどギフトカードの平面デザイン部の上に平面の造形物を可動状態に固定し従来のサイズを変えることなく造形物が動くことを特徴とする平面アニメーション装置。
【請求項２】
請求項１に記載される、平面アニメーション装置であってＣＤ、ＤＶＤケースのジャケット収納部の厚みに入れることのできる、複数の平歯車で構成されるギア取付台紙を持ち、ギア取付台紙上に設けられるジャケットの上に設けられる、造形物をカムなどのリンク部品で動作させることを特徴とする平面アニメーション装置。
【請求項３】
請求項１に記載される、平面アニメーション装置であって複数の平歯車で構成されるギア取付台紙の平歯車に複数の磁石をはめ込み、ジャケットの上に設けられる、造形物の可動部作用点にも磁石を埋め込み、平歯車の回転による磁石の動きで造形物の可動部作用点の磁石が吸磁、反発で動作することを特徴とする平面アニメーション装置。
【請求項４】
請求項１に記載される、平面アニメーション装置であって複数の平歯車で構成されるギア取付台紙の平歯車の駆動方法において、平歯車の一部をケースの外にある指あるいは外部動力で、平歯車を回し、前記の造形物を動かすことを特徴とする平面アニメーション装置。
【請求項５】
請求項１に記載される、平面アニメーション装置であって複数の平歯車で構成されるギア取付台紙の平歯車の駆動方法において、平歯車をワームギアなどを介しモーターなど自動的な動力で回転させることを特徴とする平面アニメーション装置。
【請求項６】
請求項３に記載される、平面アニメーション装置であって手動で回転させられる回転円盤上に複数の磁石を設け、デザイン台紙を介し表面に可動状態に固定した造形物を、磁石の吸磁力、反発力で動かすことを特徴とする平面アニメーション装置。
【請求項７】
請求項３と請求項６に記載される磁石を、その他の磁性体もしくは磁力により反応する金属などに置き換えた平面アニメーション装置。
【発明の詳細な説明】
【技術分野】
【０００１】  本発明は、プラスチックケースなどに挿入される、ジャケット、タイトルデザイン紙、宣伝台紙およびクリスマスカードなどギフトカードのデザイン台紙の表面に平面の造形物を設け、デザイン台紙の背面にある運動伝達機構により造形物を可動することができる平面アニメーション装置に係り、そして、その造形物を手動、電動、ゼンマイの動力で薄型平歯車、薄型プーリー、リンクおよび磁石などを用いて造形物に運動伝達し造形物を可動させる運動伝達機構に関する。
【背景技術】
【０００２】  従来、本発明は、プラスチックケースなどに挿入される、ジャケット、タイトルデザイン紙、宣伝台紙およびクリスマスカードなどギフトカードは平面的な静的デザイン物として扱われ、片面又は両面印刷が施されているものが大半であった。
【発明の開示】
【発明が解決しようとする課題】
【０００３】  従来の一般的な本発明は、プラスチックケースなどに挿入される、ジャケット、タイトルデザイン紙、宣伝台紙およびクリスマスカードなどギフトカードでは、内容の解説を読んだり、デザイン物の写真を見たりする点では有効であるものの、販売促進のアイキャッチいう観点から見れば不充分であり、他のジャケットとのデザイン差別化が望まれている。【０００４】  本発明は、平面デザイン物上に、手動、自動的に可動する造形物を設け、商品展示中のプラスチックケースなどに挿入される、ジャケット、タイトルデザイン紙、宣伝台紙およびクリスマスカードなどギフトカードの造形物を動かすことにより、アイキャッチを高め、他の商品との差別化を図る。【０００５】  そして、音楽や映画などのジャケットが挿入される、ＣＤケースやＤＶＤケースはケース内寸高さが約７ｍｍであり、本体であるＣＤ、ＤＶＤの収納スペースを除くと内寸高さ約３ｍｍのジャケット収納スペースおよびＣＤケース開閉蝶番の逃げスペースである幅約１１ｍｍ、内寸高さ約７ｍｍに自動的に可動する造形物を設けることは困難であった。また、垂直に置かれた状態では、ジャケットに支点を設け、例えば人形などを吊り下げただけでも揺らしたりすることは可能だが、水平に置かれる場合も多く、この状態では自動的に動かそうとすると、戻りバネなど容積が大きい、部品を必要とすることから実際の組み込みには問題があった。【０００６】  そして、クリスマスカードなどギフトカードや販促メールを郵送する場合、定型郵便物のサイズは最大長さ２３５ｍｍ、最大幅１２０ｍｍ、厚さ１０ｍｍ以内、重さ５０ｇ以内であれば郵送可能だが、前記同様に実現することは困難であった。
本発明は以上の問題点を解決しようとするものである。
【課題を解決するための手段】
【０００７】  薄い樹脂板などから成る、ギア取付台と磁石をはめ込んだ平歯車を任意の位置に複数設ける。ＣＤケース開閉蝶番の逃げスペースに小型モーターも直径４ｍｍ程度のものを用いて、電池、スイッチを設ける。小型モーターの軸部にワームギアを装着して、前記の平歯車に接続する。ギア取付台の上には、ジャケットになる背景デザイン物を設ける。【０００８】  そして、ジャケットの上に可動できる構造を持つ造形物の支点を止ピンでジャケットと接続する。【０００９】  可動できる造形物とは、薄い樹脂板や紙などで作る平板状のもので、例えば人の動きを模倣する場合、頭と胴体を一つの部品として、ギア取付台の平歯車に取付けられた磁石の位置と手、足を合わせるように、頭に穴をあけ止ピンでジャケットに止める。そして、手、足を可動するように止ピンで胴体に止める。【００１０】  手、足の先端には平歯車に設けた、磁石の極性と相対性極性がジャケット面に向くように薄型磁石を貼り付ける。【００１１】  そして、スイッチを入れるとモーターを動力としてワームギアの回転が平歯車に伝達され、平歯車に設けられた磁石がジャケット上の手、足の付近にくると手、足につけられた磁石が反応して人の造形物が動く。【００１２】  また、可動部である、造形物と平歯車のつながりは磁力であるため薄く製作することができる。【００１３】  そして、磁石の吸磁力を応用する為、本発明は水平、垂直にいずれの方向に置いても戻しバネなどの部品なしで動かすことができる。【００１４】  また、動力を伝達する歯車は、プーリーでも同様の動きを実現できる。
以上を特徴とする、平面アニメーション装置である。
【発明の効果】
【００１５】  本発明を使用することにより、プラスチックケースなどに挿入される、ジャケット、タイトルデザイン紙、宣伝台紙およびクリスマスカードなどギフトカードに動きと娯楽性を持たせ、複数の付加価値を付けることができるのでＣＤ、ＤＶＤの販売促進に役立てることが出来る。購入後もＣＤ、ＤＶＤのケースを装飾品や遊具として活用できる。【００１６】  また、プラスチックケースなどに挿入される、ジャケット、タイトルデザイン紙、宣伝台紙およびクリスマスカードなどギフトカードと付随する、動く造形物は簡単に交換できるので、様々な場面での販売促進活動に対応が可能である。
【発明を実施するための最良の形態】  以下、本発明の実施の形態について説明する。
（イ）磁石Ａ（７）がはめ込まれた、動く部品Ａ（１）の支軸穴Ｂ（３）と、先端に磁石Ｂ（１０）がはめ込まれた、動く部品Ｂ（８）の支点止穴Ｂ（９）を重ね、止ピン（４５）で止める。同じく、動く部品Ａ（１）の支軸穴Ｃ（４）と、先端に磁石Ｃ（１３）がはめ込まれた、動く部品Ｃ（１１）の支点止穴Ｃ（１２）を重ね、止ピン（４５）で止める。同じく、動く部品Ａ（１）の支軸穴Ｄ（５）と、先端に磁石Ｄ（１６）がはめ込まれた、動く部品Ｄ（１４）の支点止穴Ｄ（１５）を重ね、止ピン（４５）で止める。同じく、動く部品Ａ（１）の支軸穴Ｅ（６）と、先端に磁石Ｅ（１９）がはめ込まれた、動く部品Ｅ（１７）の支点止穴Ｅ（１８）を重ね、止ピン（４５）で止める。そして、動く部品Ａ（１）に設けた、動く部品Ｂ（８）、動く部品Ｃ（１１）、動く部品Ｄ（１４）、動く部品Ｅ（１７）は各支軸穴を中心に動かすことができる。
（ロ）動く部品Ａ（１）、動く部品Ｂ（８）、動く部品Ｃ（１１）、動く部品Ｄ（１４）、動く部品Ｅ（１７）からなる、動く部品を、動く部品Ａ（１）の支軸穴Ａ（２）と、ジャケット（４２）の支点止穴Ｈ（４４）を重ね、止ピン（４５）で止める。同じく、磁石Ｆ（２２）をはめ込んだ、動く部品Ｆ（２０）の支軸穴Ｆ（２１）とジャケット（４２）の支点止穴Ｇ（４３）を重ね、止ピン（４５）で止めるとステージでボールを操る、ピエロの絵柄が立体的に構成される。
（ハ）ジャケット（４２）の下にはギア取付台（２９）に取付けられた、磁石Ｇ（２８）が、はめ込まれた平歯車Ａ（２７）に噛み合い接続される、磁石Ｈ（３１）が、はめ込まれた、平歯車Ｂ（３０）と同様に接続される、磁石Ｉ（３３）と磁石Ｊ（３４）が、はめ込まれた、平歯車Ｃ（３２）と同様に接続される、磁石Ｋ（３５）が、はめ込まれた、平歯車Ｄ（３５）とベルト（３７）で接続されるプーリー（３８）がある。
（ニ）平歯車Ａ（２７）はワームギア（２６）を介し、モーター（２４）に接続される。モーター（２４）は電池（２５）とスイッチ（２３）により回路を構成する。そして、スイッチ（２３）が入ると電池（２５）からモーター（２４）に電気が流れ、モーター（２４）の動力はワームギア（２６）を介し、平歯車Ａ（２７）からプーリー（３８）まで伝達される。
（ホ）動く部品が設けられた、ジャケット（４２）をギア取付台（２９）に乗せ、ＣＤケース（４０）のジャケット収納場所に挿入する。磁石Ｉ（３３）、磁石Ｊ（３４）は磁石Ａ（７）、磁石Ｂ（１０）、磁石Ｃ（１３）と対応する位置関係にある。また磁石Ｋ（３６）は磁石Ｅ（１９）と対応し、磁石Ｌ（３９）は磁石Ｄ（１６）と対応する。そして磁石Ｆ（２２）は磁石Ｈ（３１）、磁石Ｇ（２８）と対応する。スイッチ（２３）を入れると、各平歯車に、はめ込まれた、各磁石が回転し各動く部品に埋め込まれたそれぞれの磁石対応する平歯車のそれぞれの磁石の回転に合わせ、吸磁、反発し、ジャケット（４２）の上で前記の動く部品で構成されたピエロとボールがアニメーション動作を始める。
（ヘ）図３は前記構成を簡易化したもので、手動で回転する手動回転盤（４９）に磁石Ｍ（５０）から磁石Ｒ（５５）をはめ込み、ギフトカード（４６）の裏面に止める。
（ト）そして、磁石Ｓ（５９）がはめ込まれた、動く部品Ｇ（４７）の支点止穴Ｉ（５７）に磁石Ｔ（６１）がはめ込まれた、動く部品Ｈ（４８）の支軸穴Ｈ（６０）を重ね、止ピン（４５）で止め組立てた、動く部品の支軸穴Ｇ（５６）とギフトカード（４６）表面の支点止穴Ｊ（６２）を重ね、止ピン（４５）でとめる。
（チ）磁石Ｓ（５９）は回転円盤の外側にある磁石Ｍ（５０）、磁石Ｎ（５１）、磁石Ｏ（５２）、磁石Ｐ（５３）に対応し、磁石Ｔ（６１）は回転円盤の内側にある磁石Ｑ（５４）と磁石Ｒ（５５）に対応し、手動回転盤がまわされると雪だるまを背景に遊ぶ子供がアニメーション風に動く。
（リ）動力部であるモーター（２４）は、ゼンマイ、ソーラーモーターなどに置き換えが可能である。
本発明を使用するときは、図１に於いては、スイッチ（２３）を入れると、ジャケット（４２）背景デザイン上で動く部品で構成されるボールを操るピエロがアニメーション動作をする。また図３に於いては手動回転円盤（４９）を回すことにより雪だるまを背景に遊ぶ子供のアニメーションになる。
【図面の簡単な説明】
【００１７】
【図１】本発明の斜視図
【図２】本発明の外観を示す図
【図３】本発明の簡易型の外観を示す図
【図４】本発明の簡易型の斜視図
【符号の説明】
【００１８】  １  動く部品Ａ
２  支軸穴Ａ
３  支軸穴Ｂ
４  支軸穴Ｃ
５  支軸穴Ｄ
６  支軸穴Ｅ
７  磁石Ａ
８  動く部品Ｂ
９  支点止穴Ｂ
１０  磁石Ｂ
１１  動く部品Ｃ
１２  支点止穴Ｃ
１３  磁石Ｃ
１４  動く部品Ｄ
１５  支点止穴Ｄ
１６  磁石Ｄ
１７  動く部品Ｅ
１８  支点止穴Ｅ
１９  磁石Ｅ
２０  動く部品Ｆ
２１  支軸穴Ｆ
２２  磁石Ｆ
２３  スイッチ
２４  モーター
２５  電池
２６  ワームギア
２７  平歯車Ａ
２８  磁石Ｇ
２９  ギア取付台
３０  平歯車Ｂ
３１  磁石Ｈ
３２  平歯車Ｃ
３３  磁石Ｉ
３４  磁石Ｊ
３５  平歯車Ｄ
３６  磁石Ｋ
３７  ベルト
３８  プーリー
３９  磁石Ｌ
４０  ＣＤケース
４１  ＣＤ
４２  ジャケット
４３  支点止穴Ｇ
４４  支点止穴Ｈ
４６  ギフトカード
４７  動く部品Ｇ
４８  動く部品Ｈ
４９  手動回転盤
５０  磁石Ｍ
５１  磁石Ｎ
５２  磁石Ｏ
５３  磁石Ｐ
５４  磁石Ｑ
５５  磁石Ｒ
５６  支軸穴Ｇ
５７  支点止穴Ｉ
５８  ストッパー
５９  磁石Ｓ
６０  支軸穴Ｈ
６１  磁石Ｔ
６２  支点止穴Ｊ
【図１】
2005208533.tif 000003
【図２】
2005208533.tif 000004
【図３】
2005208533.tif 000005
【図４】
2005208533.tif 000006